(57)【要約】【課題】灯明及び渦巻状線香を夫夫簡単且容易に取り替えが出来ると共に、該灯明と渦巻状線香を同一容器内で利用でき、少なくとも８〜１２時間以上燃焼を持続せしめ得ると共に、特に安全性並びに美観にも優れ、価格も比較的低廉且便利に利用出来る灯明付渦巻状線香立を提供することを目的とする。【解決の手段】従来から実施実用化されているローソク等による灯明、又は電気式あるいは電池等の灯明部を中心部に有し、外周部に、渦巻状線香の中心側上端部を渦巻状線香把持部によって嵌合挟持せしめることにより、該渦巻状線香の中心側上端部近傍から下方に向かっての拡がりが、底面部まで垂れ下がってしまうのを防止する垂下防止断熱部によってゆるい曲面状を維持した状態で、途中で火が消えることが無く、該渦巻状線香の中心側上端部迄燃え続けた渦巻状線香を、強制的に、熱吸収把持部又は熱吸収支え部等からの熱吸収を利用して消し残し得たことを特長とする。【選択図】「図１」
2005034586.tif 000002
【特許請求の範囲】
【請求項１】
灯明部を中心部に有し、外周部にほぼドーナツ状に形成される渦巻状線香の中心側上端部を嵌合挟持せしめ得る渦巻状線香把持部と、該渦巻状線香の中心側上端部から底面に向かっての不規則に垂れ下がってしまうのを、ゆるい球面状を維持する様に防止する垂下防止断熱部と該渦巻状線香把持部の外側に設けた断熱部効果を得て、渦巻状線香の燃焼を妨げることなく、該渦巻状線香把持部迄燃え続け得た渦巻状線香を、強制的に、該渦巻状線香把持部の熱吸収によって該渦巻状線香の中心側上端部を５〜１０数ｍｍ程度消し残し得たことを特長とする、灯明付渦巻状線香立部を有した灯明付渦巻状線香立。
【請求項２】
灯明部を中心部に有し、上端部に、中間部に渦巻状線香の中心部の円形状の空間部を嵌合止着せしめ得る鍔部を設けたほぼ円筒型の熱吸収支え部と、上部側に該円筒型の熱吸収支え部間との嵌合止着部を設けた筒形の組立要素間に、渦巻状線香の通常よりも極度の垂れ下がりを防止する垂下防止断熱部を設けて渦巻状線香の燃焼を妨げることなく、該渦巻状線香の中心部の円形状の空間部迄燃え続け得た渦巻状線香を、強制的に、上記熱吸収支え部に接触する燃焼部が熱吸収を受けて直径１０〜１０数ｍｍ一輪を消し残し得たことを特長とする灯明付渦巻状線香立部を有した灯明付渦巻状線香立。
【発明の詳細な説明】
【発明の詳細な説明】
【技術分野】
【０００１】  本発明は灯明付渦巻状線香立に関する。
【背景技術】
【０００２】  宗教上の理由等により、葬儀から４９日間は昼夜を問わずに連続して、灯明と香煙を絶やしてはいけないとされ、昔から出来得る限り長時間点灯を持続する灯明として、太くて長いローソクは勿論、より太くて短い桶状のローソクをコップ又は花形の容器内で用いたり、菜種油等に灯芯を浮かべる方式、あるいはローソク型の電気式灯明等と、ほぼ１２時間位燃焼を持続する細長い線香を渦巻状に形成した渦巻状線香と称される線香を夫夫独立させて使用されてきた。
【発明が解決しようとする課題】
【０００３】  本発明は、上記実情を鑑み創案されたものであって、灯明及び渦巻状線香を夫夫簡単且容易に取り替えが出来ると共に、該灯明と渦巻状線香を同一容器内で利用でき、少なくとも８〜１２時間以上燃焼を持続せしめ得ると共に、特に安全性並びに美観にも優れ、価格も比較的低廉且便利に利用出来る灯明付渦巻状線香立を提供することを目的とする。
【課題を解決するための手段と作用】
【０００４】  本発明の灯明付渦巻状線香立は、従来から実施実用化されているローソク等による灯明、又は電気式あるいは電池等の灯明部を中心部に有し、外周部に、渦巻状線香の中心側上端部を渦巻状線香把持部によって嵌合挟持せしめることにより、該渦巻状線香の中心側上端部近傍から下方に向かっての拡がりが、底面部まで垂れ下がってしまうのを防止する垂下防止断熱部によってゆるい曲面状を維持した状態で、途中で火が消えることが無く、該渦巻状線香の中心側上端部迄燃え続けた渦巻状線香を、強制的に、熱吸収把持部又は熱吸収支え部等からの熱吸収を利用して消し残すことによって、“火”のついたまま渦巻状線香が燃え減って消えてしまう以前に、扇風機或は窓越しの強風に吹き飛ばされない様に、安全性をより高め得ると共に、安心して利用出来る一体型の灯明付渦巻状線香立部を有したことを特長とする灯明付渦巻状線香立を提供することを目的とする。
【発明の実施例１】
【０００５】  以下本発明の実施例１を図面に基づいて説明する。図１は、本発明の実施形態に係る灯明付渦巻状線香立部７を示し、本発明の実施例１では図２及び図３に示す様に、ほぼ十手状に薄い金属板を打ち抜き造形した折曲片１ａ、熱吸収把持部１ｂ、段差部１ｃおよび断熱部４をハンドル部１ｄの外側に貼り合わせた渦巻状線香把持部１、及び上下に折曲片２ｂ、２ｂを有し上面部がゆるい円弧状のクサビ型に形成される断熱板５を圧折挟持せしめた左右対称形となる金属板を造形した複数個の垂下防止断熱部２、２、２…と、上部に切欠３ａおよび上下に複数個の切欠３ｂ，３ｂ、３ｂ，３ｂ、３ｂ，３ｂ…を設けたほぼリング状に造形した組立要素３を得、渦巻状線香把持部１に設けた折曲片１ａを組立要素３に設けた切欠３ａに、複数個の垂下防止断熱部２、２、２…の上下に設けた折曲片２ｂ，２ｂ、２ｂ，２ｂ、２ｂ，２ｂ…を組立要素３の上下に設けた３ｂ，３ｂ、３ｂ，３ｂ、３ｂ，３ｂ…に夫夫嵌合折曲または接着挟持せしめて渦巻状線香立部１０が形成されている。
【０００６】  灯明部には、上記ほぼリング状に造形された組立要素３の中間部に長時間点灯を持続せしめ得る、従来から実施実用化されている形式の電池式灯明部８を設置している。その結果、該電池式灯明部８と渦巻状線香立部１０が一体となったことを特長とする灯明付渦巻状線香立部７を香炉等の灰受け１２（ａ）上に設置され、従来には無かった、本発明の灯明付渦巻状線香立部１２が形成される。
【０００７】  以上の様に形成された本発明の実施例１の灯明付渦巻状線香立１２を使用するには、上記の様に組立てた状態で、ほぼリング状に造形された組立要素３内に設けた電池式灯明部８を点灯せしめると共に、ほぼドーナツ状に形成される渦巻状線香９の中心側上端部を渦巻状線香把持部１によって嵌合挟持せしめることにより、上面部がゆるい円弧状に形成される複数個の垂下防止断熱部２、２、２…上に、該渦巻状線香９は自重によりゆるい球面を描く様に、下方から上方に向かってスパイラル状に適度の間隙が出来、互いに接することが無く、下端から上方に向かって燃え減って行き、安定して渦巻状線香９を支持することが出来ると共に、ゆるい傾斜状を維持した状態で途中で火が消えること無く、図３に示した様に、渦巻状線香把持部１迄燃え減った渦巻状線香９が、該渦巻状線香把持部１に設けた熱吸収把持部１ｂの外側に設けた断熱部４の効果を得て、渦巻状線香９の中心側上端部を該熱吸収把持部１ｂによって嵌合挟持せしめた部分５〜１０数ｍｍを、強制的に、該熱吸収把持部１ｂ部の熱吸収によって消し残した状態で点灯を終える。  渦巻状線香９の最終内側の燃焼中に燃焼部が組立要素３に接触しない大きさを有しているが、必要とする場合は組立要素３の上部外周面部に断熱部１７を１〜数ヶ所貼り合わせるだけでよい。
【０００８】  渦巻状線香９の中心側上端部を約５〜１０数ｍｍ程度金属製の熱吸収把持部１ｂの熱吸収によって強制的に消し残すのは、火のついたまま非常に軽くなってしまった状態で燃え残りの一部が落下することの無い様、あるいは火のついたまま渦巻状線香９が燃え減って消えてしまう以前に、強い風に吹き飛ばされない様に５〜１０数ｍｍ程度燃え残して置く危険防止を目的とする。又約１２時間も燃焼を持続する渦巻状線香９を、４９日間連続して使用する間に１度でも火のついたまま非常に軽くなってしまっている渦巻状線香９に、窓越しの強風、あるいは扇風機等の強風、あるいは該窓越しの強風と扇風機等の強風との合成したより強い風等に吹き飛ばされないかと想定される等、安心して利用出来る商品を提供するという目的のためである。
【０００９】  又図３に詳記した様に、本発明の実施例１では渦巻状線香９の中心側上端部の取りつけ位置がほぼリング状に造形した組立要素３の上端部より低い位置に設けてあるために、上記強風等の影響をより受けにくい構造を有している等、安全性の面でも所期する効果をより増大せしめ得るものである。
【本発明実施例１の灯明部の変形例１】
【００１０】  図４（ａ）は、本発明の実施例１の電池式灯明部８を、球状のローソク１３をコップ１４内の水に浮かべた形式の変形例１の灯明付渦巻状線香立部１５を示したもので、ローソクの形状に合わせて或いは花形のガラス容器等任意に各種灯明等と組み合わせ利用出来ることを示したものである。
【本発明実施例１の灯明部の変形例２】
【００１１】図４（ｂ）は、灯明部を差込プラグを介して電球部４２と電源部４３を分離した形式で、鳩や鶴或は仏様とか仏様の使い等の像３７等と組み合わせて、宗教用具としての荘厳性をより増大せしめ得ることを目的とした変形例である。新しい渦巻状線香９と交換する時は、上記電球部と電源部を組み合わせた状態で可能なときは問題ないが、そうでない時は該差込プラグ４０、４１を介して上記電球部取り外して、新しい渦巻状線香９を装着の後、渦巻状線香９の燃焼部を逆釣鐘状に持ち上げてマッチ等で点火すれば良い。該燃焼部を点火の後上記電球部を差込プラグ４０、４１を介して上記電源部４３に戻すだけで良い。
【本発明実施例１の渦巻状線香把持部１の変形例】
【００１２】  図５は、本発明実施例１の渦巻状線香把持部１の変形例で、一つの垂下防止断熱部２の上部折曲片２ｂ部に、断熱部１７を外側に貼り合わせたほぼＬ字形の渦巻状線香把持部１６をスポット溶接又は嵌合接着したものである。又本変形例では垂下防止断熱部２上部折曲片２ｂ部にスポット溶接又は嵌合接着せしめる形式を示したが、図６に示す様に組立要素３上部にスポット溶接又は嵌合接着した場合でも同様の効果を奏し得る等、各種任意に変形出来ることを示したものである。
【発明の実施例２】
【００１３】  図７及び図８に示した様に、下端部に雄ネジ部１８を有し中間部に鍔部１９を設けたほぼ筒型の熱吸収支え部２０と、上部内側に該雄ネジ部１８に装着する雌ネジ２１部を設けた筒型の組立要素２２間に、該鍔部１９上に、図１０（ｂ）に示した中心部に円形状の空間部３１ｂを設けた渦巻状線香３１を下面側から嵌合せしめることによって、該渦巻状線香３１は自重により垂れ下がって釣鐘状を呈するが、図９（ａ）〜図９（ｂ）に示した様に、高湿度等で該渦巻状線香３１が通常よりも垂れ下がってしまうのを防止する、金属板を、中心部に穴部２３ｃを有し両端部にほぼ木の葉又は花びら状をなす左右上下が対称形となる様に打ち抜き造形せしめると共に、断熱効果および美観を得るために、点線にて示した折曲線部上２３ｅをく字状に折曲せしめた該折曲線部２３ｅ周辺部と、切抜き部２３ｄによって形成される挟持片２３ｂ間に、花びら型の断熱板２４を折曲部２４ａを介して挟持せしめ得るようにした２枚一組の組立要素２３ａ、２３ａを得、それをプラス字状にスポット溶接又は爪付固定板２５を用いた垂下防止断熱部２３を有したことを特長とする渦巻状線香立部２６が形成されている。
【００１４】  上記筒型の熱吸収支え部２０及び筒型の組立要素２２とで形成される筒部内２９に、長時間点灯を持続せしめ得る、従来から実施実用化されている比較的細型直径が約１０ｍｍ位迄の電池式灯明部２７を組み合わせてなる、本発明実施例２の一体型の灯明付渦巻状線香立部２８を香炉等の灰受け１２（ａ）上に設置して本発明灯明付渦巻状線香立１２が形成される。
【００１５】  以上のように形成された本発明灯明付渦巻状線香立１２を使用するには、上記筒型の熱吸収支え部２０及び筒型の組立要素２２にて構成される筒部内２９に、直径が約１０ｍｍ位迄の電池式灯明部２７に設けた電球部３０を点灯せしめると共に、熱吸収支え部２０に設けた鍔部１９上に、該電池式灯明部２７が中心部に１０〜１０数ｍｍの円形状の空間部３１ｂを設けた渦巻状線香３１中心部を貫通する様に下面側から嵌合せしめることによって、安定して、該渦巻状線香３１は自重により垂れ下がって釣鐘状を呈することが出来る。渦巻状線香３１が通常の垂れ下がりの時は渦巻状線香３１自体の自重によって釣鐘状又は円錐状を呈して問題は起こらないが、高湿度等で渦巻状線香３１が通常よりも垂れ下がりがあった時は、上記花びら形の断熱板部２４、２４、２４、２４が渦巻状線香３１の燃焼部３２又はその周辺部を受け止めて該渦巻状線香３１の燃焼を妨げることはない。該渦巻状線香３１は上記熱吸収支え部２０に設けた鍔部１９上に嵌合せしめているために、これに接触する渦巻状線香３１の燃焼部３２が熱吸収を受けて簡単且確実に直径１０〜１０数ｍｍ一輪を消し残した状態で点灯を終える。
【００１６】  また、上記高湿度の時に又は各種渦巻状線香の特性あるいは美観という観点等に合わせて、上記木の葉又は花びら状に打ち抜かれた垂下防止断熱部２３金属板部中心部を上下左右斜め方向へと任意に折曲変更出来るもので、各種渦巻状線香の特性あるいは美観等に対応し得るもので、各種任意に変形利用出来その有用性をより増大せしめ得るものである。
【００１７】  また、本発明実施例２も、灯明部には筒型の電池式灯明部２７を示したが、図４（ｂ）に示した様に、灯明を持つ鳩や幸せを運ぶ鳥とか仏の使い等の像３７と組み合わせ利用することにより、宗教用具としての荘厳性等の有用性をより増大せしめ得る等任意に変形できるものである。
【発明の実施例２の変形例】
【００１８】  図１１（ａ）は、図７及び図８に示した２枚一組の垂下防止断熱部２３、２３の変形例を示したもので、金属板を、中心部に芯穴３３ｃを有し両端部にほぼ木の葉又は花びら状をなす左右上下が対称となる様に打ち抜き造形せしめると共に、点線にて示した折曲部３３ｂ、３３ｂ、を折曲して花びら形の断熱板３４、３４を挟持した２枚一組の組立要素３３、３３を得、それを図１１（ｂ）に示した様に、プラス字状にスポット溶接又は爪月固定板２５を用いて組み合わせた垂下防止断熱部３５で、任意に形状を変形して美観あるいは荘厳性を計り得る等、あるいは１部２点鎖線にて示した花びら形の断熱板３４、３４、３４、３４角度を上下左右斜め方向へと任意に変更出来るもので、湿気が高い時又は各種渦巻状線香の特性あるいは美観等に対応し得る変形例の垂下防止断熱部３５を示したものである。
【発明の垂下防止断熱部の変形例】
【００１９】  上記図９に示した垂下防止断熱部２３或は図１１（ａ）に示した垂下防止断熱部３５は２枚一組の平面十字形に形成してあるが、必ずしも十字形でなくても良く、図１２（ａ）或は図１２（ｂ）に示した様に夫夫の花びら形の断熱板２４又は３４の組立要素を３枚，５枚，６枚と個別化して、夫夫の使用する枚数に合わせたスポット溶接又は爪付固定板３６を用いても実施出来る。又上記垂下防止断熱部２３及び３５の断熱板部は花びら形としたが、必ずしも花びら形に限らず長方形や菱形あるいは細い台形方等でも所期する効果奏し得る。又図２に示した実施例１の垂下防止断熱部２、２、２…においても同様である。
【発明の灯明部の変形例】
【００２０】  図１３は、本発明の灯明部に１００Ｖの屋内電源を利用した形式で、屋内に設けられている１００Ｖコンセントに差込プラグ又はアダプター３８に接続される移動電線３９を介して、本発明灯明付渦巻状線香立に接続されたもので、灯明部を長時間連続使用出来、価格も比較的低廉に実施出来る等各種任意に変形利用し得ることを示したものである。
【発明の効果】
【００２１】  以上の様に、本発明の灯明付渦巻状線香立は、宗教用具としての荘厳性を守りながら、火災の原因ともなる“火”を、昼夜を問わずに４９日間もの長時間に亘って使用する用具として、特に安全性という観点を重要視したもので、従来から実施されている形式から逸脱した新しい形式で、簡単且便利に利用出来、しかも渦巻状線香の中心部の一部を残して、確実に燃焼を停止せしめ得る灯明付渦巻状線香立に係るもので各種任意に変形できる有用な発明である。
【図面の簡単な説明】
【図１】本発明実施例１の灯明付渦巻状線香立部が渦巻状線香を支持している状態の正面図
【図２】本発明実施例１の灯明付渦巻状線香立部の分解斜視図
【図３】本発明実施例１の灯明付渦巻状線香立部の断面図
【図４（ａ）】本発明実施例１の灯明部の変形例１を使用した渦巻状線香立部の略式正面図
【図４（ｂ）】本発明の灯明部を、差込プラグを介して電球部と電源部に分離した形式の本発明灯明付渦巻状線香立の変形例の略式斜視図
【図５】本発明実施例１の渦巻状線香把持部１の変形例の垂下防止断熱部の分解斜視図
【図６】本発明実施例１の渦巻状線香把持部１の変形例を組立要素３上部に設けた１部破断斜視図
【図７】本発明灯明付渦巻状線香立実施例２の斜視図
【図８】本発明灯明付渦巻状線香立実施例２の分解斜視図
【図９（ａ）】本発明灯明付渦巻状線香立実施例２の組立要素２３（ａ）の１部分解斜視図
【図９（ｂ）】本発明灯明付渦巻状線香立実施例２の垂下防止断熱部２３の１部分解斜視図
【図１０（ａ）】本発明実施例１に使用するほぼドーナツ状の渦巻状線香９の平面図
【図１０（ｂ）】本発明実施例２に使用する中心部に直径１０〜１０数ｍｍの円形状の空間部を設けた渦巻状線香３１の平面図
【図１１（ａ）】組立要素３３の１部分解斜視図
【図１１（ｂ）】垂下防止断熱部３５の１部分解斜視図
【図１２（ａ）】「図９（ａ）」組立要素２３（ａ）の変形例の斜視図
【図１２（ｂ）】「図１１（ａ）」組立要素３３の変形例の斜視図
【図１３】本発明灯明付渦巻状線香立の変形例の一部破断正面図
【符号の説明】
１渦巻状線香把持部１ａ折曲片１ｂ熱吸収把持部１ｃ段差部１ｄハンドル部２垂下防止断熱部２ｂ折曲片３組立要素３ａ切欠３ｂ切欠４断熱部５上面部がゆるい円形状のクサビ型に形成される断熱板７灯明付渦巻状線香立部８電池式灯明部９渦巻状線香１０渦巻状線香立部１２灯明付渦巻状線香立１２ａ香炉等の灰受け１３球状のローソク１４コップ１５灯明付渦巻状線香立部１６渦巻状線香把持部１７断熱部１８雄ネジ１９鍔部２０熱吸収支え部２１雌ネジ２２組立要素２３垂下防止断熱部２３ａ組立要素２３ｂ挟持片２３ｃ穴部２３ｅ折曲線部２３ｄ切抜き部２４花びら型の断熱板２４ａ折曲片２５爪付固定板２６渦巻状線香立部２７電池式灯明部２８灯明付渦巻状線香立部２９筒部内３０電球部３１渦巻状線香３１ｂ円形状の空間部３２燃焼部３３組立要素３３ｂ折曲部３３ｃ芯穴３４花びら型の断熱板３５垂下防止断熱部３６スポット溶接又は爪付固定板３７鳩や幸せを運ぶ鳥とか仏の使い等の像３８差込プラグ又はアダプター３９移動電線４０差込プラグ４１差込プラグ４２電球部４３電源部
【図１】
2005034586.tif 000003
【図２】
2005034586.tif 000004
【図３】
2005034586.tif 000005
【図４（ａ）】
2005034586.tif 000006
【図４（ｂ）】
2005034586.tif 000007
【図５】
2005034586.tif 000008
【図６】
2005034586.tif 000009
【図７】
2005034586.tif 000010
【図８】
2005034586.tif 000011
【図９（ａ）】
2005034586.tif 000012
【図９（ｂ）】
2005034586.tif 000013
【図１０（ａ）】
2005034586.tif 000014
【図１０（ｂ）】
2005034586.tif 000015
【図１１（ａ）】
2005034586.tif 000016
【図１１（ｂ）】
2005034586.tif 000017
【図１２（ａ）】
2005034586.tif 000018
【図１２（ｂ）】
2005034586.tif 000019
【図１３】
2005034586.tif 000020